(57)【特許請求の範囲】
【請求項１】
入金を受け付けた場合に入金額に応じた所定の有価価値の記録媒体への関連づけを行う記録媒体処理装置において、
デビット決済による入金を受け付け可能な入金受付手段と、
前記入金受付手段がデビット決済による入金を受け付けた場合に利用客に負担させる手数料の金額あるいは前記手数料を算出するための掛け率を設定変更可能であるとともに、所定の閾値を設定変更可能であり、デビット決済による入金額が前記閾値未満の場合に前記手数料を利用客の全額負担とする一方、デビット決済による入金額が前記閾値以上となった場合に利用客の手数料負担を減額する手数料取り扱い設定手段と
を備えたことを特徴とする記録媒体処理装置。
【請求項２】
所定の有価価値に関連する情報を記録した記録媒体を受け入れた場合に該有価価値に応じた貨幣の払い出しを行う記録媒体処理装置において、
受け入れた記録媒体がデビット決済の際に手数料を負担したものであり、かつ前記記録媒体において使用した有価価値が所定の閾値を越えていた場合には、残存する有価価値に応じた貨幣と、前記手数料に相当する貨幣とを払い出す一方、
受け入れた記録媒体がデビット決済の際に手数料を負担したものであり、かつ前記記録媒体において使用した有価価値が所定の閾値を越えていない場合には、残存する有価価値に応じた貨幣のみを払い出す
ことを特徴とする記録媒体処理装置。
【発明の詳細な説明】
【０００１】
【発明の属する技術分野】
本発明は、プリペイドカードに代表される磁気カードやＩＣカード、ＩＣコイン等の記録媒体の発行、あるいは記録媒体の精算といった処理を行うためのシステムに関し、特に、手数料が伴うデビット決済による入金を前提とした記録媒体処理装置に関するものである。
【０００２】
【従来の技術】
現在、パチンコ機やパチスロ機等の遊技機を設置した遊技店で遊技を行う場合には、カード発行機から一旦記録媒体、例えばプリペイドカードを購入し、このプリペイドカードに付与された有価価値に応じてパチンコ玉やメダル等の遊技媒体を借り受ける方法が主流である。
【０００３】
こうした遊技システムにおいては、プリペイドカードに金額または金額に相当する有価価値そのものを磁気記録するタイプのものと、遊技店の管理装置が記憶した有価価値を検索するための識別情報のみを磁気記録するタイプのものとがある。前者の場合には、例えば遊技機の相互間に設置したカード処理ユニットにプリペイドカードを挿入すれば、該プリペイドカードを読み取ることで直接有価価値を取得することができるため、一方、後者の場合には、カード処理ユニットが読み取った識別情報に基づいて管理装置から有価価値を取得することができるため、いずれにおいてもプリペイドカードに付与された有価価値を上限とした遊技媒体の貸し出しを行うことが可能となる。
【０００４】
遊技媒体を貸し出した場合には、当該貸し出した遊技媒体に相当する額が有価価値から差し引かれることになる。すなわち、有価価値そのものを磁気記録したプリペイドカードを適用する遊技システムでは、プリペイドカードの有価価値が遊技媒体の貸し出しに応じて減算更新される。一方、識別情報のみを磁気記録したプリペイドカードを適用する遊技システムでは、カード処理ユニットから遊技媒体の貸し出し情報が識別情報と共に管理コンピュータに送信された後、該識別情報に基づいて検索された有価価値が遊技媒体の貸し出しに応じて減算更新され、この減算更新結果が新たな有価価値としてプリペイドカードの識別情報と共に記憶部に記憶されることになる。
【０００５】
通常、上記のような遊技システムを適用する遊技店には、プリペイドカードの有価価値を貨幣に精算するためのカード精算機が設けられている場合が多い。すなわち、遊技店で発行されたプリペイドカードの有価価値は、遊技店でのみ通用するものであり、貨幣のように生活のあらゆる局面で通用するものではない。このため、カード精算機に挿入されたプリペイドカードに有価価値が残存する場合には、当該有価価値に相当する金額の貨幣を払い出すことにより、利用客の便宜を図るようにしている。
【０００６】
【発明が解決しようとする課題】
ところで、一般の商品を購入する場合や各種サービスに対して代金を支払う場合の方法としては、現金やクレジットカードによるものの他、デビットカード（銀行や郵便貯金のキャッシュカード）によるものがある。このデビットカードによる支払方法においては、クレジットカードによるものと同様に、現金を持ち歩く必要がないため、紛失や盗難といった心配がなくなる点で利用客にメリットがある。また、クレジットカードと比較した場合には、手持ちのキャッシュカードが利用できるため新たな申し込みの必要がなく年会費や審査も不要である、利用時点で利用客の銀行口座とデビットカード取扱店舗の銀行口座との間で決済が実施されるため「借り」とはならず安心して商品を購入したりサービスを受けることができる、等々のメリットがある。
【０００７】
これらの理由から、今後こうしたデビットカードによる支払方法が急速に普及することが十分に予想される。従って、上述したパチンコ機やパチスロ機等の遊技機を設置した遊技店においても、現金のみならず、デビットカードの使用に対応した遊技システムを構築すれば、利用客の利便性が向上し、ひいては遊技店自身の売上向上へ繋げることも期待できる。さらに、現金の取り扱いが減少し、貨幣の回収作業や釣り銭の補給作業を省略することさえ可能となる。
【０００８】
しかしながら、上述したデビットカードによって支払を行った場合には、利用客の銀行口座とデビットカード取扱店舗の銀行口座との間に介在する仲介機関、例えばクリアリングセンタや情報処理センタ等に対して都度手数料を支払う必要がある。この手数料に関しては、現在のところデビットカード取扱店舗がその全額を負担するのが一般的であるが、デビットカードの取り扱いが増えれば、その分だけ遊技店の負担増を招くことになる。かといって手数料を一方的に利用客に負担させた場合には、いくらデビットカードによって利便性が向上するとはいえ、利用客の遊技意欲を損なうことにもなりかねず、遊技店の売上に多大な影響を及ぼす虞れがある。結局のところ、現状にあっては、デビットカードの使用に対応した遊技システムを構築することが遊技店にとって必ずしも好ましい選択とは言い切れず、デビットカードを使うことのできる遊技店の具現化が遅々として進んでいないのが実情である。
【０００９】
この発明は、上記実情に鑑みてなされたもので、デビットカードを使用することのできる遊技店の具現化を図ることのできる記録媒体処理装置を提供することを目的とする。
【００１０】
【課題を解決するための手段】
本発明の請求項１に係る記録媒体処理装置は、入金を受け付けた場合に入金額に応じた所定の有価価値の記録媒体への関連づけを行う記録媒体処理装置において、デビット決済による入金を受け付け可能な入金受付手段と、前記入金受付手段がデビット決済による入金を受け付けた場合に利用客に負担させる手数料の金額あるいは前記手数料を算出するための掛け率を設定変更可能であるとともに、所定の閾値を設定変更可能であり、デビット決済による入金額が前記閾値未満の場合に前記手数料を利用客の全額負担とする一方、デビット決済による入金額が前記閾値以上となった場合に利用客の手数料負担を減額する手数料取り扱い設定手段とを備えたことを特徴とする。
【００１１】
また、請求項２に係る記録媒体処理装置は、所定の有価価値に関連する情報を記録した記録媒体を受け入れた場合に該有価価値に応じた貨幣の払い出しを行う記録媒体処理装置において、受け入れた記録媒体がデビット決済の際に手数料を負担したものであり、かつ前記記録媒体において使用した有価価値が所定の閾値を越えていた場合には、残存する有価価値に応じた貨幣と、前記手数料に相当する貨幣とを払い出す一方、受け入れた記録媒体がデビット決済の際に手数料を負担したものであり、かつ前記記録媒体において使用した有価価値が所定の閾値を越えていない場合には、残存する有価価値に応じた貨幣のみを払い出すことを特徴とする。
【００１７】
【発明の実施の形態】
以下に添付図面を参照して、この発明に係る記録媒体処理装置の好適な実施の形態を詳細に説明する。なお、本実施の形態では、主として本発明をパチンコ遊技に適用した場合を示す。
【００１８】
図１は、本発明の実施の形態である記録媒体処理装置を適用したパチンコ遊技システムの概略構成を示すブロック図である。ここで例示するパチンコ遊技システムでは、記録媒体としてプリペイドカード、具体的には会員カードＭＣおよび一般カードＢＣを適用する。
【００１９】
会員カードＭＣは、住所や氏名等の会員情報を登録した会員である利用客に対して遊技店が発行する合成樹脂製のカード（ＪＩＳ２）であり、各種情報が磁気記録および印字してある。具体的には、発行店の識別情報や会員コード等の会員識別情報が磁気記録してあるとともに、発行した店コード、会員コード等の情報が印字してあり、記録内容の一部を目視できるようになっている。
【００２０】
これに対して一般カードＢＣは、任意の一般利用客に対して遊技店が都度発行する紙製の磁気カードであり、上述した会員カードＭＣと同様、各種情報が磁気記録および印字してある。具体的には、発行店の識別情報、カード固有の識別コード、発行金額、カード種別等が磁気記録してあるとともに、発行店名、カード固有識別情報（例えば発行機番号＋連番）、発行金額および有効期限等が目視できるように印字してある。
【００２１】
これらの会員カードＭＣおよび一般カードＢＣは、その材質や板厚および記録内容が相違するものの、縦横の寸法が同一であるとともに、各種情報を磁気記録するための磁気ストライプも同一の位置に設けてある。
【００２２】
また、会員カードＭＣおよび一般カードＢＣには、それぞれパチンコ玉を借り受ける際の基準となる有価価値、具体的には「度数」と称される有価価値を付与してある。ここでいう「度数」とは、パチンコ玉の貸出処理単位であり、所定のレートで設定してある。一般的には、１度数が１００円に対応し、１度数でパチンコ玉を２５個だけ貸し出すように設定してある。本実施の形態の場合、それぞれの度数は、個々のプリペイドカードＭＣ，ＢＣには記録せず、後述するターミナルコントローラ１０に記憶させてある。
【００２３】
図１に示すように、本実施の形態のパチンコ遊技システムでは、それぞれ「島」と呼ばれるグループごとに複数のパチンコ機２０およびカード処理ユニット３０が並設してあるとともに、各島にカード発行機４０、カード精算機５０等の記録媒体処理装置が適宜設けてある。パチンコ機２０は、パチンコ玉を遊技領域に発射して利用客が遊技を行う部分である。カード処理ユニット３０は、会員カードＭＣや一般カードＢＣに関連づけられた残度数を上限とするパチンコ玉の貸し出し処理を主機能とするものである。このカード処理ユニット３０は、遊技店に設置された複数のパチンコ機２０それぞれに対して１台ずつペアとなるように用意され、パチンコ機２０の相互間に挟まれる形で設置してある。カード発行機４０は、一般カードＢＣの発行処理、並びに一般カードＢＣおよび会員カードＭＣに関連づけられたそれぞれの度数に対する加算処理を主機能とするものであり、遊技店に数台ずつ設置してある。カード精算機５０は、会員カードＭＣや一般カードＢＣに関連づけられた度数を現金として払い戻す処理を主機能とするもので、遊技店に数台ずつ設置してある。
【００２４】
これらのパチンコ機２０、カード処理ユニット３０、カード発行機４０およびカード精算機５０は、各島に設けた島コントローラ６０を通じてターミナルコントローラ１０と称される管理装置の制御下にある。ターミナルコントローラ１０は、遊技店に少なくとも１台設置してあり、設置した遊技店の統括管理、例えばカード管理、会員の管理、売上管理等を行うとともに、上述したように、会員カードＭＣおよび一般カードＢＣ個々の有価価値に関する情報を記憶管理する部分である。
【００２５】
図２は、ターミナルコントローラ１０の内部構成を示すブロック図である。ターミナルコントローラ１０のＲＡＭ１１は、度数管理テーブルＤＴ等の各種管理情報を格納する部分である。度数管理テーブルＤＴは、図３（ａ）および図３（ｂ）に示すように、プリペイドカードＭＣ，ＢＣの種別毎に、カードの識別情報と、その度数情報とを対応づけて格納したものである。度数管理テーブルＤＴのカード識別情報とは、会員カードＭＣの場合に会員コードに相当し、一般カードＢＣの場合にそれぞれの固有識別コードに相当する。度数管理テーブルＤＴの度数情報は、現金決済分とデビット決済分とに分けて管理してある。現金決済分に関しては、購入した度数、使用した度数および残度数である。デビット決済分に関しては、現金決済分と同様に、購入した度数、使用した度数および残度数に加え、手数料の金額についてもカード識別情報に対応付けて管理してある。これら度数管理テーブルＤＴに格納されたそれぞれの度数情報は、通信インターフェース部１２を通じて読み出し要求があった場合にはＣＰＵ１３によって都度ＲＡＭ１１から読み出される一方、減算更新要求や加算更新要求があった場合にはＣＰＵ１３によって適宜更新されることになる。ＣＰＵ１３は、ＲＯＭ１４に格納されたプログラムに基づいて上述した各種処理を実現するための部分である。なお、図中の符号１５は、上述した各種管理情報を表示するための表示部、また符号１６は、オペレータが設定を行う際に操作する入出力部である。
【００２６】
図４は、本実施の形態で適用するパチンコ機２０およびカード処理ユニット３０の外観を示した正面図、図５は、カード処理ユニット３０の内部構成を示すブロック図である。以下、これらの図を参照しながら、パチンコ機２０およびカード処理ユニット３０について説明する。
【００２７】
カード処理ユニット３０は、外見上縦長に構成したもので、その前面パネルに、カードランプ３１ａ、現金ランプ３１ｂ、紙幣投入口３２、硬貨投入口３３、返却レバー３４、種別ランプ３５、金額表示部３６、金額設定スイッチ３７ａ、端数設定スイッチ３７ｂ、硬貨返却口３８およびカード挿入口３９を有している。カードランプ３１ａおよび現金ランプ３１ｂは、貸出制御部３００からの制御信号に基づいて点灯し、プリペイドカードＭＣ，ＢＣおよび現金の受け付け可能状態を利用客に報知するためのものである。紙幣投入口３２は、紙幣を受け入れてこれをＢＶ（ビルバリ）ユニット部３０１に取り込むための開口である。ＢＶユニット部３０１は、取り込まれた紙幣の金種を識別し、この識別結果を貸出制御部３００に与えるとともに、取り込んだ紙幣を島端回収ボックスに搬出させるべく紙幣搬送路３０２へ導出する部分である。硬貨投入口３３は、硬貨を受け入れてこれをコインセレクタ部３０３に取り込むための開口である。コインセレクタ部３０３は、取り込んだ硬貨の金種を識別し、この識別結果を貸出制御部３００に与えるとともに、取り込んだ硬貨を島端回収ボックスに搬出させるべく硬貨搬送路３０４へ導出する部分である。返却レバー３４は、投入した貨幣を返却するためのものである。この返却レバー３４が操作された場合、返却紙幣はそのまま紙幣投入口３２から利用客に返却される一方、返却硬貨は硬貨返却口３８から利用客に返却される。種別ランプ３５は、貸し出す遊技媒体の種類、つまりパチンコ玉およびメダルのいずれを貸し出すかを点灯表示するためのものである。金額設定スイッチ３７ａは、後述するパチンコ機２０の貸出スイッチ２４を１回操作する毎に貸し出されるパチンコ玉の金額（貸し出し単位）を利用客が設定するためのものである。カード挿入口３９は、プリペイドカードＭＣ，ＢＣを受け入れてこれをプリペイドカード処理部３０５に取り込むための開口である。プリペイドカード処理部３０５は、取り込んだプリペイドカードＭＣ，ＢＣの記録情報を読み取り、その読み取り結果を貸出制御部３００に与える処理を行う部分である。
【００２８】
一方、遊技機であるパチンコ機２０には、遊技領域２１の下方に設けた上皿２２に度数表示部２３、貸出スイッチ２４および返却スイッチ２５を設けてある。度数表示部２３は、カード処理ユニット３０のプリペイドカード処理部３０５にプリペイドカードＭＣ，ＢＣが取り込まれた場合、このプリペイドカードＭＣ，ＢＣに関連づけられた残度数を数値表示するための部分である。貸出スイッチ２４は、パチンコ玉を借り受ける際に利用客がＯＮ操作するスイッチである。返却スイッチ２５は、ＯＮ操作した場合に、プリペイドカード処理部３０５に取り込まれたプリペイドカードＭＣ，ＢＣを利用客に返却するスイッチである。これら貸出スイッチ２４および返却スイッチ２５のＯＮ操作検出信号は、それぞれカード処理ユニット３０の貸出制御部３００に与えられることになる。また、上記パチンコ機２０には、その内部に玉投出手段２６が設けてある。玉投出手段２６は、カード処理ユニット３０の貸出制御部３００から打球投出要求が与えられた場合、並びにパチンコ機２０の図示せぬ制御手段から賞球投出要求が与えられた場合に、それぞれパチンコ機２０の上皿２２に所定数のパチンコ玉を投出する部分である。
【００２９】
上記のように構成したカード処理ユニット３０では、まず、貸出待機状態においてカード挿入口３９にプリペイドカードＭＣ，ＢＣが挿入されると、貸出制御部３００は、プリペイドカード処理部３０５を通じて当該プリペイドカードＭＣ，ＢＣに磁気記録されたカード識別情報を読み取り、このカード識別情報を含めてターミナルコントローラ１０に残度数の問い合わせを行った後、回答の受信待機状態となる。この間、カード処理ユニット３０からの問い合わせを受信したターミナルコントローラ１０では、カード識別情報に基づいてＲＡＭ１１の度数管理テーブルＤＴから対応するプリペイドカードＭＣ，ＢＣの残度数を読み出し、これをカード処理ユニット３０に転送する。
【００３０】
ターミナルコントローラ１０から残度数を受信した貸出制御部３００は、これをメモリ３０６に格納するとともに、パチンコ機２０の度数表示部２３を通じてその表示を行った後、操作待機状態となる。操作待機状態において貸出スイッチ２４がＯＮ操作されると、金額設定スイッチ３７ａで設定された金額分のパチンコ玉を投出すべく、パチンコ機２０の玉投出手段２６に対して打球投出要求を与える。その後、メモリ３０６に格納した残度数を設定金額に応じて減算更新するとともに、カード識別情報を含めてターミナルコントローラ１０に、設定金額に応じた残度数の減算更新要求を行う。このとき、本実施の形態では、該当するプリペイドカードＭＣ，ＢＣにデビット決済による残度数と現金決済による残度数とが存在する場合、ターミナルコントローラ１０のＣＰＵ１３が、まずデビット決済による残度数から減算更新を実施し、デビット決済による残度数が０となった時点で現金決済による残度数からの減算更新を実施するように設定してある。
【００３１】
一方、上記操作待機状態において紙幣もしくは硬貨が投入されると、コインセレクタ部３０３、あるいはＢＶユニット部３０１を通じてその入金額を取得し、メモリ３０６に格納した残度数を入金額に応じて加算更新するとともに、カード識別情報を含めてターミナルコントローラ１０に、入金額に応じた残度数の加算更新要求を行う。
【００３２】
以下、上述した動作が繰り返し行われることにより、プリペイドカードＭＣ，ＢＣに関連づけられた残度数を上限とするパチンコ玉の貸し出しが行われ、当該パチンコ玉によって利用客のパチンコ遊技が可能になる。これらの処理の間においても、返却スイッチ２５をＯＮ操作すれば、それぞれの処理が中断され、プリペイドカードＭＣ，ＢＣや貨幣が利用客に返却されることになる。なお、上述したパチンコ遊技システムでは、カード処理ユニット３０においても残度数の加算更新および減算更新を行うようにしているが、パチンコ玉の貸出情報や貨幣の入金情報をターミナルコントローラ１０に送出し、該ターミナルコントローラ１０のみが加算更新や減算更新を行うようにしてももちろんよい。
【００３３】
次に、カード発行機４０およびこれに付設されるデビット子機７０について説明する。図６は、本実施の形態で適用するカード発行機４０およびデビット子機７０の外観を示した正面図、図７は、これらカード発行機４０およびデビット子機７０の内部構成を示すブロック図である。本実施の形態では、図６に示すように、カード発行機４０およびデビット子機７０を、それぞれ個別の筐体４１，７１に別々のユニットとして設けてある。カード発行機４０の筐体４１およびデビット子機７０の筐体７１は、それぞれの前面に開閉可能な扉体４２，７２を備えて構成してある。各扉体４２，７２は、筐体４１，７１との間に主錠手段４３，７３が設けてあり、閉成した状態で施錠することが可能である。
【００３４】
カード発行機４０は、筐体４１の前面に設けた扉体４２に会員カード挿入／返却口４４、一般カード発行口４５、紙幣挿入／返却口４６、選択スイッチ４７、取消スイッチ４８、表示部４９およびハンディ収容凹部４２ａを備えている。
【００３５】
会員カード挿入／返却口４４は、会員カードＭＣを受け入れてこれを会員カード処理部４０１に取り込む一方、会員カード処理部４０１において所望の処理を施した後の会員カードＭＣを返却するための開口である。会員カード処理部４０１は、取り込んだ会員カードＭＣに磁気記録されている会員識別情報を読み取り、その読み取り結果を後述の発行制御部４０２に与える部分である。一般カード発行口４５は、一般カード処理部４０３で発行処理した一般カードＢＣを排出するための開口である。一般カード処理部４０３は、例えば、予め装填されたロール紙（図示せず）を適宜切断・印字・データ処理し、これを一般カードＢＣとして発行する部分である。紙幣挿入／返却口４６は、紙幣を受け入れてこれを紙幣処理部４０４に取り込む部分である。紙幣処理部４０４は、取り込まれた紙幣の金種を識別してその識別結果を後述の発行制御部４０２に与えるとともに、識別可能な紙幣を金種別に分類して紙幣回収箱４０５に収納する一方、識別不能な紙幣を返却するための部分である。選択スイッチ４７および取消スイッチ４８は、それぞれ外部操作入力部として設けたもので、利用客によってＯＮ操作された場合に個別の検出信号を後述の発行制御部４０２に与える部分である。表示部４９は、後述の発行制御部４０２から与えられた入力ガイダンス等の各種情報を表示するための部分であり、例えば液晶表示器によって構成してある。ハンディ収容凹部４２ａは、補助扉体４２ｂによって開閉可能、かつ扉体４２の主錠手段４３とは別個の補助錠手段４２ｃによって施錠可能な凹所である。この補助錠手段４２ｃには、施錠状態にあるか否かを検出するとともに、その検出結果を常時発行制御部４０２に与える施錠検出センサ４０６を設けてある。上記ハンディ収容凹部４２ａには、ハンディ端末入力機４０７を収容してある。ハンディ端末入力機４０７は、各種機能スイッチやテンキースイッチを備えて構成したもので、内部操作入力部として機能する。このハンディ端末入力機４０７の各種機能スイッチやテンキースイッチがＯＮ操作された場合には、上述した選択スイッチ４７や取消スイッチ４８と同様に、それぞれ個別の検出信号が後述の発行制御部４０２に与えられることになる。発行制御部４０２は、予め与えられたプログラムや会員カード処理部４０１、紙幣処理部４０４、選択スイッチ４７、取消スイッチ４８、施錠検出センサ４０６およびハンディ端末入力機４０７から与えられた情報に基づいて各部の制御を行うための部分である。この発行制御部４０２は、第１通信インターフェース部４０８および第２通信インターフェース部４０９を通じて外部と適宜情報交換することが可能である。本実施の形態では、第１通信インターフェース部４０８が、後述する島コントローラ６０を介してターミナルコントローラ１０に接続してある一方、第２通信インターフェース部４０９が、デビット子機７０の第１通信インターフェース部を介して後述のデビット制御部７０２に接続してある。
【００３６】
デビット子機７０は、筐体７１の前面に設けた扉体７２にデビットカード挿入／返却口７４、レシート排出口７５、表示部７６および外部操作入力部７７を備えているとともに、扉体７２を開成した場合に露出する部分に内部操作入力部７８を備えている。
【００３７】
デビットカード挿入／返却口７４は、デビットカードＤＣを受け入れてこれをデビットカード処理部７０１に取り込む一方、デビットカード処理部７０１において所望の処理を施した後のデビットカードＤＣを返却するための開口である。デビットカード処理部７０１は、取り込んだデビットカードＤＣに磁気記録されている情報を読み取り、その読み取り結果を後述のデビット制御部７０２に与える部分である。レシート排出口７５は、印字部７０３において印字処理されたレシートＲＣを排出するための開口である。印字部７０３は、後述のデビット制御部７０２から与えられた情報をレシートＲＣとして印字出力するための部分である。表示部７６は、後述のデビット制御部７０２から与えられた入力ガイダンスや設定ガイダンス等の各種情報を表示するための部分であり、例えば液晶表示器によって構成してある。外部操作入力部７７は、確認スイッチや取消スイッチ等の各種機能スイッチ、さらにはデビットカードＤＣの暗証番号を入力するためのテンキースイッチを備えて構成したものである。内部操作入力部７８は、係員モードスイッチ７８を備えて構成したものである。これら外部操作入力部７７および内部操作入力部７８がＯＮ操作された場合には、それぞれ個別の検出信号が後述のデビット制御部７０２に与えられることになる。デビット制御部７０２は、デビットカード処理部７０１、外部操作入力部７７および内部操作入力部７８から与えられた情報に基づいて各部の制御を行う部分である。このデビット制御部７０２は、第１通信インターフェース部７０４および第２通信インターフェース部７０５を通じて外部と適宜情報交換することが可能である。本実施の形態では、上述したように、第１通信インターフェース部７０４が、カード発行機４０の第２通信インターフェース部４０９を介して発行制御部４０２に接続してある一方、第２通信インターフェース部７０５が、公衆回線網１０００を通じて後述するデビットカードシステムの情報処理センタ１００１に接続され、さらには図１に示すように、クリアリングセンタ１０１１を含むＣＡＦＩＳ（Credit and Finance Information System）ネットワーク１０１０、並びに利用客の口座を有するデビットカード発行銀行１０２０、決済銀行１０３０および情報処理センタ１００１の口座を有する加盟店銀行１０４０に接続されている。
【００３８】
図８は、デビット子機７０のデビット制御部７０２で実施される処理の内容を示すフローチャート、図９は、カード発行機４０の発行制御部４０２で実施される処理の内容を示すフローチャートである。以下、これらのフローチャートに従って、本実施の形態のデビット子機７０およびカード発行機４０について説明する。
【００３９】
まず、デビット子機７０のデビット制御部７０２は、図８に示すように、係員モードスイッチ７８がＯＮされているか否かを判断する（ステップＳ１０）。係員モードスイッチ７８がＯＮされている場合、つまり、遊技店の係員が解錠して扉体７２を開成し、係員モードスイッチ７８をＯＮ操作した場合には係員モードとなり、遊技店の係員による係員モード処理を実行することが可能になる（ステップＳ１００）。これに対して、ステップＳ１０において係員モードスイッチ７８がＯＮされていない場合には、取扱待機モードとなり、利用客によるデビットカードＤＣの取扱処理が可能となる（ステップＳ２００）。上述したこれらの処理は、デビット子機７０の稼働中において所定の周期で繰り返し実行されるものである。つまり、上記デビット子機７０においては、係員モードスイッチ７８がＯＮされているか否かに応じて係員モードと、取扱待機モードとが切り替わるようになっている。
【００４０】
一方、カード発行機４０の発行制御部４０２は、図９に示すように、施錠検出センサ４０６からの検出信号を通じて補助扉体４２ｂが開放状態にあるか否かを判断する（ステップＳ２０）。遊技店の係員によって補助錠手段４２ｃが開錠され、ステップＳ２０において補助扉体４２ｂが開放状態であると判断した場合には、メンテナンスモードとなり、メンテナンス処理を実行する（ステップＳ３００）。このメンテナンスモードでは、ハンディ収容凹部４２ａに収納したハンディ端末入力機４０７を操作することが可能となるため、例えば表示部４９を通じてメンテナンス作業者である遊技店の係員に対してメンテナンスに必要となる各種情報を報知することが好ましい。これに対して、補助扉体４２ｂが閉成されていると判断した場合、つまり補助錠手段４２ｃの施錠によりハンディ収容凹部４２ａに収納したハンディ端末入力機４０７を操作することができない場合には、通常の販売待機モードとなり、カード加算処理およびカード発行処理を順次実行する（ステップＳ４００，ステップＳ５００）。この販売待機モードでは、例えば表示部４９を通じて利用客に対して販売待機状態であり、プリペイドカードＭＣ，ＢＣや紙幣の挿入が可能であることを報知することが好ましい。上述した処理は、カード発行機４０の稼働中において所定の周期で繰り返し実行されるものである。つまり、上記カード発行機４０においては、補助扉体４２ｂの開閉に応じて販売待機モードとメンテナンスモードとが切り替わるようになっている。
【００４１】
図１０は、デビット子機７０においてステップＳ１００で実施される係員モード処理の詳細を示すフローチャートである。この係員モード処理では、まず、デビット制御部７０２からの制御信号により、表示部７６に設定入力を要求する旨の表示を行い（ステップＳ１０１）、その後、設定入力待ちとなる（ステップＳ１０２）。この設定入力要求の表示中に遊技店の係員によって外部操作入力部７７の機能スイッチやテンキースイッチから設定入力があると、この設定入力情報を表示部７６に表示するとともに、該設定入力情報を図示せぬ自己のメモリに格納する（ステップＳ１０３）。その後、係員モードスイッチ７８がＯＦＦされるまでの間、上述した動作を繰り返し実行し（ステップＳ１０４）、係員モードスイッチ７８がＯＮされた時点で今回の処理を終了する。
【００４２】
図１１は、上記デビット子機７０において、ステップＳ１０１で実施される設定入力要求の表示例を示した図である。同図からも明らかなように、本実施の形態では、係員モードにおいて手数料設定、手数料負担設定および減額の条件設定を行うことが可能である。
【００４３】
ここで、係員モードで行う手数料設定とは、後述する情報処理センタ１００１やクリアリングセンタ１０１１に支払う手数料（以下、単にセンタ手数料という）に関する設定ではなく、遊技店が貰い受ける手数料（以下、単に遊技店手数料という）に関する設定である。
【００４４】
具体的には、図１１に示す状態から、テンキースイッチの「１」をＯＮ操作すると、表示部７６の表示が図１２（ａ）に示すように手数料の設定画面に移行する。この手数料の設定画面では、遊技店手数料を金額によって設定するか、手数料率によって設定するかを選択することができる。つまり、図１２（ａ）に示す状態からテンキースイッチの「１」をＯＮ操作し、引き続き遊技店手数料をテンキースイッチから入力すると、図１２（ｂ）に示すように、手数料の設定の欄に金額（図示の例では１００円）が表示され、さらにこの状態から確認スイッチをＯＮ操作すると、設定された遊技店手数料に関する情報がデビット制御部７０２のメモリに格納されることになる。
【００４５】
これに対して、図１２（ａ）に示す状態から、テンキースイッチの「２」をＯＮ操作し、引き続き遊技店手数料率をテンキースイッチから入力すると、図１２（ｃ）に示すように、手数料の設定の欄に手数料率（図示の例では５％）が表示され、さらにこの状態から確認スイッチをＯＮ操作すると、設定された遊技店手数料率に関する情報がデビット制御部７０２のメモリに格納されることになる。
【００４６】
次の手数料負担設定とは、センタ手数料の負担者を利用客、遊技店のいずれにするかの設定である。
【００４７】
具体的には、図１３（ａ）に示す状態（図示では上述した手数料設定において遊技店手数料を「１００円」に設定してある）から、テンキースイッチの「２」をＯＮ操作すると、表示部７６の表示が図１３（ｂ）に示すように手数料負担の設定画面に移行する。この手数料負担の設定画面では、センタ手数料の負担を利用客にするか、遊技店にするかを選択することができる。つまり、図１３（ｂ）に示す状態からテンキースイッチの「１」をＯＮ操作すると、図１３（ｃ）に示すように、手数料負担設定の欄において「客」の部分にアンダーラインが表示され、さらにこの状態から確認スイッチをＯＮ操作すると、設定された手数料負担者に関する情報がデビット制御部７０２のメモリに格納されることになる。
【００４８】
これに対して、図１３（ｂ）に示す状態からテンキースイッチの「２」をＯＮ操作すると、図１３（ｄ）に示すように、手数料負担者設定の欄において「店」の部分にアンダーラインが表示され、さらにこの状態から確認スイッチをＯＮ操作すると、設定された手数料負担者に関する情報がデビット制御部７０２のメモリに格納されることになる。
【００４９】
次の減額の条件設定とは、利用客が負担すべき手数料を減額する条件の設定である。すなわち、先の手数料設定において遊技店手数料を設定した場合、および／または先の手数料負担設定においてセンタ手数料の負担者を利用客と設定した場合であっても、利用客の負担を減額する条件を設定するものである。本実施の形態では、デビット決済による入金額の最低値を設定するようにしてあり、デビット決済による入金額がこの最低値以上であれば、利用客の手数料負担を「０」とするようにしてある。
【００５０】
具体的には、図１４（ａ）に示す状態（図示では上述した手数料設定において遊技店手数料を「１００円」、上述した手数料負担設定を「利用客」に設定してある）から、テンキースイッチの「３」をＯＮ操作すると、表示部７６の表示が図１４（ｂ）に示すように条件の設定画面に移行する。この状態からテンキースイッチにより上述した最低値を入力すると、図１４（ｃ）に示すように、条件設定の欄において「最低値（図示の例では５０００円）以上で手数料無料」と表示され、さらにこの状態から確認スイッチをＯＮ操作すると、設定された条件がデビット制御部７０２のメモリに格納されることになる。
【００５１】
なお、すべての状態において取消スイッチをＯＮ操作すれば、直前の状態に戻り、入力ミスの訂正や取消操作を行うことが可能である。また、これらの手数料設定、手数料負担設定および減額の条件設定に関しては、必ずしもデビット子機７０個々に行う必要はなく、例えば、ターミナルコントローラ１０によって一括に設定し、該設定した内容をそれぞれのデビット子機７０に与えるようにしても構わない。
【００５２】
一方、カード発行機４０のステップＳ３００で実施されるメンテナンス処理では、ハンディ端末入力機４０７に設けた機能スイッチやテンキースイッチを通じてキー入力があると、このキー入力に対応したメンテナンス処理を適宜実行する処理が行われることになる。このメンテナンス処理には、例えば係員を通じてプリペイドカードＢＣを再発行する処理などが含まれる。
【００５３】
図１５（ａ）は、カード発行機４０のステップＳ４００で実施されるカード加算処理の詳細を示すフローチャート、図１５（ｂ）は、デビット子機７０のステップＳ２００で実施されるデビットカード取扱処理の詳細を示すフローチャートである。以下、これらの図を参照しながら、プリペイドカードＭＣ，ＢＣに関連づけられた度数の加算処理について説明する。
【００５４】
まず、カード発行機４０の発行制御部４０２は、図１５（ａ）に示すように、カード加算処理において会員カード処理部４０１もしくは一般カード処理部４０３からの検出信号に基づき、これらにプリペイドカードＭＣ，ＢＣが挿入されているか否かを判断する（ステップＳ４０１）。プリペイドカードＭＣ，ＢＣが挿入されていない場合には、以降の処理を経ることなく手順をリターンさせる。これに対してプリペイドカードＭＣ，ＢＣが挿入されている場合には、当該プリペイドカードＭＣ，ＢＣが読み取り可能であるか否かを判断し（ステップＳ４０２）、読み取り不能であればこれを返却して手順をリターンさせる（ステップＳ４０３）。この場合、表示部４９を通じてプリペイドカードＭＣ，ＢＣが読み取り不能である旨の表示を行うことが好ましい。
【００５５】
プリペイドカードＭＣ，ＢＣが読み取り可能であれば、これに記録されている情報を読み取り、該情報に基づいてターミナルコントローラ１０に問い合わせを行い（ステップＳ４０４）、その後、問い合わせの回答受信待機状態となる（ステップＳ４０５）。ターミナルコントローラ１０に問い合わせる内容は、挿入されたプリペイドカードＭＣ，ＢＣに関連づけられた残度数等の情報である。
【００５６】
ターミナルコントローラ１０からプリペイドカードＭＣ，ＢＣの残度数を取得した発行制御部４０２は、次いで、表示部４９を通じて加算すべき入金要求の表示を行う（ステップＳ４０６）。この場合の表示部４９には、「現金による入金の場合はカード発行機の紙幣挿入／返却口に紙幣を挿入してください。」、「デビットカードによる入金の場合は隣に設置したデビット子機のデビットカード挿入／返却口にデビットカードを挿入してください。」という旨の表示を行うことが好ましい。
【００５７】
入金要求の表示を行った発行制御部４０２は、入金の有無を監視する。具体的には、デビット子機７０からデビットカード挿入通知を受信したか否かの判断（ステップＳ４０７）、および紙幣が挿入されたか否かの判断である（ステップＳ４０８）。
【００５８】
ここで、例えば入金の監視状態において利用客が紙幣を挿入すると、これが識別可能であるか否かを判断する（ステップＳ４０９）。紙幣の識別が不能であればこれを返却し（ステップＳ４１０）、手順をステップＳ４０６に移行させて再び入金の有無を監視する。この場合、表示部４９を通じて利用客に紙幣の識別が不能であった旨を表示することが好ましい。
【００５９】
これに対してステップＳ４０９において紙幣の識別が可能であった場合には、複数の選択スイッチ４７の中から入金額以下のものを有効化し（ステップＳ４１１）、その後、当該有効化した選択スイッチ４７がＯＮ操作されたか否かを監視する（ステップＳ４１２）。なお、選択スイッチ４７を有効化した場合には、当該有効化した選択スイッチ４７を発光させ、さらには表示部４９を通じて利用客に選択スイッチ４７のＯＮ操作を促す表示を行うことが好ましい。
【００６０】
ステップＳ４１２において選択スイッチ４７がＯＮ操作されると、その選択スイッチ４７の金額に対応する度数の加算要求を、入金種別が現金決済によるものである旨の情報、さらに先に読み取ったプリペイドカードＭＣ，ＢＣのカード識別情報と共にターミナルコントローラ１０に送信し（ステップＳ４１３）、その後、プリペイドカードＭＣ，ＢＣを利用客に返却して（ステップＳ４１４）、手順をリターンさせる。この結果、ターミナルコントローラ１０に格納された度数管理テーブルＤＴにおいて当該プリペイドカードＭＣ，ＢＣに関連づけられた現金決済による残度数が、選択スイッチ４７の金額に対応する分だけ加算更新されることになり、このプリペイドカードＭＣ，ＢＣをカード処理ユニット３０に挿入すれば、更新された残度数を上限としたパチンコ玉の貸し出しが可能になる。
【００６１】
なお、上述した処理の間、挿入された識別後の紙幣は、紙幣処理部４０４において金種毎に分類され、紙幣回収箱４０５に収納されることになる。また、挿入した紙幣に対してＯＮ操作した選択スイッチ４７の金額が小さい場合には、紙幣処理部４０４から必要枚数の紙幣が繰り出され、プリペイドカードＭＣ，ＢＣを返却する際に釣り銭として利用客に返却されることになる。
【００６２】
一方、上述したステップＳ４０７およびステップＳ４０８の入金監視状態において、デビット子機７０のデビットカード挿入／返却口７４にデビットカードＤＣを挿入すると、デビット制御部７０２は、図１５（ｂ）に示すように、ステップＳ２０１において手順をステップＳ２０２に進め、デビットカード処理部７０１を通じてそのカード情報を読み取り、さらに表示部７６を通じて暗証番号の入力を要求する旨の表示を行い（ステップＳ２０３）、その後、暗証番号の入力待ちとなる（ステップＳ２０４）。
【００６３】
暗証番号の入力要求に応じて利用客がテンキースイッチからデビットカードＤＣの暗証番号を入力すると、デビット制御部７０２は、表示部７６を通じて入金額の入力を要求する旨の表示を行うとともに、カード発行機４０の発行制御部４０２に対してデビットカード挿入通知を送信し（ステップＳ２０５）、その後、発行制御部４０２からの選択情報の受信待ちとなる（ステップＳ２０６）。
【００６４】
ステップＳ４０７においてデビット制御部７０２からデビットカード挿入通知を受信した発行制御部４０２は、複数の選択スイッチ４７を有効化し（ステップＳ４１５）、その後、当該有効化した選択スイッチ４７がＯＮ操作されたか否かを監視する（ステップＳ４１６）。なお、選択スイッチ４７を有効化した場合には、先と同様に有効化した選択スイッチ４７を発光させ、さらには表示部４９を通じて利用客に選択スイッチ４７のＯＮ操作を促す表示を行うことが好ましい。
【００６５】
ステップＳ４１６において選択スイッチ４７がＯＮ操作されると、その選択スイッチ４７に対応した選択情報をデビット子機７０のデビット制御部７０２に送信し（ステップＳ４１７）、その後、該デビット制御部７０２からの決済終了結果の受信待ちとなる（ステップＳ４１８）。
【００６６】
ステップＳ２０６において発行制御部４０２から選択情報を受信したデビット制御部７０２は、公衆回線網１０００を通じて情報処理センタ１００１にアクセスし、選択情報に応じた決済処理を行う（ステップＳ２０７）。
【００６７】
この決済処理は、例えば以下の手順で実現することができる。すなわち、上記デビット制御部７０２は、発行制御部４０２から選択情報を受信すると、利用客の選択した選択スイッチ４７に対応する金額の情報と、先のステップＳ１００において設定入力した設定入力情報と、それまでに取得したデビットカードＤＣの読み取り情報および暗証番号とを含む決済代行・通信代行（決済要求）を情報処理センタ１００１に送出し、該情報処理センタ１００１からの決済処理終了通知を待つ（ステップＳ２０８）。
【００６８】
決済要求を受信した情報処理センタ１００１は、当該決済要求に含まれる各種情報に基づいてＣＡＦＩＳネットワーク１０１０のクリアリングセンタ１０１１に決済処理を依頼する。依頼を受けたクリアリングセンタ１０１１は、デビットカード発行銀行（利用客の口座を有する銀行）、決済銀行１０３０および加盟店銀行１０４０（情報処理センタ１００１の口座を有する銀行）の間で決済処理を行う。この決済処理には、即時実行が必要な処理と、予め設定した期間（例えば３営業日）の経過後に実施される処理とがある。即時実行が必要な処理としては、例えば、今回の決済要求に応じた金額をデビットカード発行銀行１０２０において利用客の口座から引き落とす処理がある。この即時実行処理が終了すると、クリアリングセンタ１０１１は、直ちに情報処理センタ１００１に対して処理が終了した旨の通知を行う。通知を受けた情報処理センタ１００１は、この通知に基づき、決済要求を送出したデビット子機７０に対して決済終了通知を送信する。なお、即時実行分以外の決済処理は、予め決められた期間（例えば３営業日）の経過後に実施され、上述したクリアリングセンタ１０１１や情報処理センタ１００１のセンタ手数料を差し引いた代金が、○○銀行１０５０が有するカード会社センタ１０６０の口座に振り込まれる。さらにその後、カード会社と遊技店との取り決めに従い、○○銀行１０５０におけるカード会社センタ１０６０の口座から△△銀行１０７０が有する遊技店の口座に対して、最終的に、プリペイドカードＭＣ，ＢＣの使用度数および上述した設定入力情報に基づいて算出される代金が振り込まれることになる。
【００６９】
以下、上述した決済処理について、具体的な例を挙げながらさらに詳述する。なお、以下の説明では、決済の金額に関わらず、クリアリングセンタ１０１１や情報処理センタ１００１に支払うべきセンタ手数料の合計金額が１００円に設定されているものとする。
【００７０】
（１）ステップＳ１００で実施した手数料設定において遊技店手数料を「１００円」、手数料負担を「客」、減額の条件を「０円」と設定してあれば、利用客のデビット決済による入金額が１００００円の場合、デビットカード発行銀行１０２０の利用客口座からは、１００００（プリペイドカードの加算処理額）＋１００（遊技店手数料）＋１００（センタ手数料）＝１０２００円の引き落としとなる。その後、○○銀行１０５０への入金の際にセンタ手数料１００円が差し引かれ、最終的に遊技店の口座を有する△△銀行１０７０に対しては、カード会社と遊技店との取り決めに応じた額に遊技店手数料１００円を加算した代金が振り込まれることになる。すなわち、今回のデビット決済において遊技店は、利用客のパチンコ遊技による利益の他に遊技店手数料として１００円の利益を得ることが可能になる。
【００７１】
（２）ステップＳ１００で実施した手数料設定において遊技店手数料を「０円」、手数料負担を「客」、減額の条件を「０円」と設定してあれば、利用客のデビット決済による入金額が１００００円の場合には、デビットカード発行銀行１０２０の利用客口座からは、１００００（プリペイドカードＭＣ，ＢＣの加算処理額）＋０（遊技店手数料）＋１００（センタ手数料）＝１０１００円の引き落としとなる。その後、○○銀行１０５０への入金の際にセンタ手数料１００円が差し引かれ、最終的に遊技店の口座を有する△△銀行１０７０に対しては、カード会社と遊技店との取り決めに応じた代金が振り込まれることになる。すなわち、今回のデビット決済において遊技店は、利用客のパチンコ遊技による利益そのものを得ることが可能になる。
【００７２】
（３）ステップＳ１００で実施した手数料設定において遊技店手数料を「０円」、手数料負担を「店」、減額の条件を「０円」と設定してあれば、利用客のデビット決済による入金額が１００００円の場合には、デビットカード発行銀行１０２０の利用客口座からは、１００００（プリペイドカードＭＣ，ＢＣの加算処理額）＋０（遊技店手数料）＋０（センタ手数料）＝１００００円の引き落としとなる。その後、○○銀行１０５０への入金の際にセンタ手数料１００円が差し引かれ、最終的に遊技店の口座を有する△△銀行１０７０に対しては、カード会社と遊技店との取り決めに応じた額にセンタ手数料１００円を差し引いた代金が振り込まれることになる。すなわち、今回のデビット決済において遊技店は、利用客のパチンコ遊技による利益からセンタ手数料１００円を差し引いた利益を得ることになる。
【００７３】
（４）ステップＳ１００で実施した手数料設定において遊技店手数料を「０円」、手数料負担を「客」、減額の条件を「５０００円」と設定してあれば、利用客のデビット決済による入金額が６０００円の場合には、デビットカード発行銀行１０２０の利用客口座からは、６０００（プリペイドカードＭＣ，ＢＣの加算処理額）＋０（遊技店手数料）＋０（センタ手数料）＝６０００円の引き落としとなる。その後、○○銀行１０５０への入金の際にセンタ手数料１００円が差し引かれ、最終的に遊技店の口座を有する△△銀行１０７０に対しては、カード会社と遊技店との取り決めに応じた額にセンタ手数料１００円を差し引いた代金が振り込まれることになる。すなわち、今回のデビット決済において遊技店は、利用客のパチンコ遊技による利益からセンタ手数料１００円を差し引いた利益を得ることになる。
【００７４】
（５）上述した（４）と同じ設定であっても利用客のデビット決済による入金額が４０００円の場合には、デビットカード発行銀行１０２０の利用客口座からは、４０００（プリペイドカードＭＣ，ＢＣの加算処理額）＋０（遊技店手数料）＋１００（センタ手数料）＝４１００円の引き落としとなる。その後、○○銀行１０５０への入金の際にセンタ手数料１００円が差し引かれ、最終的に遊技店の口座を有する△△銀行１０７０に対しては、カード会社と遊技店との取り決めに応じた代金が振り込まれることになる。すなわち、今回のデビット決済において遊技店は、利用客のパチンコ遊技による利益そのものを得ることが可能になる。
【００７５】
（６）ステップＳ１００で実施した手数料設定において遊技店手数料率を「５％」、手数料負担を「客」、減額の条件を「０円」と設定してあれば、利用客のデビット決済による入金額が１００００円の場合、デビットカード発行銀行１０２０の利用客口座からは、１００００（プリペイドカードＭＣ，ＢＣの加算処理額）＋５００（遊技店手数料）＋１００（センタ手数料）＝１０６００円の引き落としとなる。その後、○○銀行１０５０への入金の際にセンタ手数料１００円が差し引かれ、最終的に遊技店の口座を有する△△銀行１０７０に対しては、カード会社と遊技店との取り決めに応じた額に遊技店手数料５００円を加算した代金が振り込まれることになる。すなわち、今回のデビット決済において遊技店は、利用客のパチンコ遊技による利益の他に遊技店手数料として５００円の利益を得ることが可能になる。
【００７６】
これらの設定例からも明らかなように、本実施の形態のパチンコ遊技システムによれば、クリアリングセンタ１０１１や情報処理センタ１００１に対して支払うべきセンタ手数料の取り扱いを柔軟に変更することができるため、デビットカードＤＣの取り扱いが増えた場合にも、遊技店の負担を低減することが可能である。さらに、センタ手数料とは別に遊技店独自の手数料を設定することも可能であるため、デビットカードＤＣの取り扱いが増えれば、その分の利益増を期待することも可能となる。また、デビット決済による入金の額に応じてセンタ手数料の負担者を変更することも可能であるため、手数料負担を嫌う利用客に対しては、デビット決済による入金額を増やすことでこれを回避する余地を与えることができ、遊技意欲を著しく損なう虞れがなくなるとともに、遊技店の売上向上を期待することも可能となる。これらの結果、デビットカードＤＣの使用に対応した遊技システムを構築した場合の遊技店のメリットが増えるようになり、その具現化を図ることが可能になる。
【００７７】
上述したステップＳ２０８において情報処理センタ１００１から決済終了通知を受信したデビット子機７０は、当該決済の終了結果を発行制御部４０２に転送し（ステップＳ２０９）、その後、デビット決済に関わるレシートＲＣを利用客に発行し（ステップＳ２１０）、今回の手順を終了する。図１６（ａ）および図１６（ｂ）は、ステップＳ２１０において発行されるレシートＲＣの例を示したものである。このうち、図１６（ａ）に示したレシートＲＣは、デビット決済が正常に終了した場合のもので、デビットカード発行銀行１０２０の利用客口座から今回のデビット決済に応じた引き落としの確認書となる。一方、図１６（ｂ）に示したレシートＲＣは、デビット決済が正常に終了しなかった場合のもので、口座引き落としを取り消した旨の確認書となる。
【００７８】
ステップＳ４１８においてデビット制御部７０２から決済終了通知を受信した発行制御部４０２は、当該デビット決済が正常に終了しているか否かを判断し（ステップＳ４１９）、正常であれば手順をステップＳ４１３に進める。すなわち、ステップＳ４１６で選択された選択スイッチ４７の金額に対応する度数の加算要求を、入金種別がデビット決済によるものである旨の情報、利用客が負担した手数料の金額、さらに先に読み取ったプリペイドカードＭＣ，ＢＣのカード識別情報と共にターミナルコントローラ１０に送信し、その後、プリペイドカードＭＣ，ＢＣを利用客に返却して（ステップＳ４１４）、手順をリターンさせる。この結果、ターミナルコントローラ１０に格納された度数管理テーブルＤＴにおいて当該プリペイドカードＭＣ，ＢＣに関連づけられたデビット決済による残度数が、選択スイッチ４７の金額に対応する分だけ加算更新されることになるとともに、手数料を負担した場合に手数料が加算更新されることになる。従って、このプリペイドカードＭＣ，ＢＣをカード処理ユニット３０に挿入すれば、更新された残度数を上限としたパチンコ玉の貸し出しが可能になる。
【００７９】
これに対してデビット決済が正常に終了していない場合には、ステップＳ４１９において手順をステップＳ４１４に進め、ターミナルコントローラ１０に加算要求を送信することなくプリペイドカードＭＣ，ＢＣを返却して今回の処理を終了する。
【００８０】
図１７は、カード発行機４０のステップＳ５００で実施されるカード発行処理の詳細を示すフローチャートである。このカード発行処理では、まず発行制御部４０２が、入金の有無を監視する。具体的には、カード加算処理の場合と同様に、デビット子機７０からデビットカード挿入通知を受信したか否かの判断（ステップＳ５０１）、および紙幣が挿入されたか否かの判断である（ステップＳ５０２）。
【００８１】
ここで、例えば入金の監視状態において利用客が紙幣を挿入すると、これが識別可能であるか否かを判断する（ステップＳ５０３）。紙幣の識別が不能であればこれを返却し（ステップＳ５０４）、手順をリターンさせる。この場合、表示部４９を通じて利用客に紙幣の識別が不能であった旨を表示することが好ましい。
【００８２】
これに対してステップＳ５０３において紙幣の識別が可能であった場合には、複数の選択スイッチ４７の中から入金額以下のものを有効化し（ステップＳ５０５）、その後、当該有効化した選択スイッチ４７がＯＮ操作されたか否かを監視する（ステップＳ５０６）。なお、選択スイッチ４７を有効化した場合には、当該有効化した選択スイッチ４７を発光させ、さらには表示部４９を通じて利用客に選択スイッチ４７のＯＮ操作を促す表示を行うことが好ましい。
【００８３】
ステップＳ５０６において選択スイッチ４７がＯＮ操作されると、その選択スイッチ４７の金額に対応する度数情報、および入金種別が現金決済によるものである旨の情報、さらに固有の識別符号をターミナルコントローラ１０に送信し（ステップＳ５０７）、その後、一般カード処理部４０３から利用客に対して一般カードＢＣを発行する（ステップＳ５０８）。カード発行機４０から度数情報、現金決済および識別符号を受信したターミナルコントローラ１０では、これらの情報を度数管理テーブルＤＴに登録する処理が実施される。上述したように、一般カードＢＣには、発行店の識別情報、カード固有の識別コード、発行金額、カード種別等が磁気記録および印字してある。従って、この一般カードＢＣをカード処理ユニット３０に挿入すれば、そこで読み取られた記録情報を基にターミナルコントローラ１０から対応する残度数を取得することができ、この残度数を上限としたパチンコ玉の貸し出しが可能になる。
【００８４】
なお、上述した処理の間、挿入された識別後の紙幣は、紙幣処理部４０４において金種毎に分類され、紙幣回収箱４０５に収納されることになる。また、挿入した紙幣に対してＯＮ操作した選択スイッチ４７の金額が小さい場合には、紙幣処理部４０４から必要枚数の紙幣が繰り出され、一般カードＢＣを返却する際に釣り銭として利用客に返却されることになる。
【００８５】
一方、上述したステップＳ５０１において、デビット子機７０のデビットカード挿入／返却口７４にデビットカードＤＣを挿入すると、デビット制御部７０２は、図１５（ｂ）に示したステップＳ２０１〜ステップＳ２０５の処理を実施することにより、カード発行機４０の発行制御部４０２に対してデビットカード挿入通知を送信する（ステップＳ２０５）。デビット制御部７０２からデビットカード挿入通知を受信した発行制御部４０２は、複数の選択スイッチ４７を有効化し（ステップＳ５０９）、その後、当該有効化した選択スイッチ４７がＯＮ操作されたか否かを監視する（ステップＳ５１０）。なお、選択スイッチ４７を有効化した場合には、先と同様に有効化した選択スイッチ４７を発光させ、さらには表示部４９を通じて利用客に選択スイッチ４７のＯＮ操作を促す表示を行うことが好ましい。
【００８６】
ステップＳ５１０において選択スイッチ４７がＯＮ操作されると、その選択スイッチ４７に対応した選択情報をデビット子機７０のデビット制御部７０２に送信し（ステップＳ５１１）、その後、該デビット制御部７０２からの決済終了結果の受信待ちとなる（ステップＳ５１２）。
【００８７】
発行制御部４０２から選択情報を受信したデビット制御部７０２は、図１５（ｂ）に示したステップＳ２０６〜ステップＳ２１０の処理を実施することにより、決済の終了結果を発行制御部４０２に転送し、その後、デビット決済に関わるレシートＲＣを利用客に発行して今回の手順を終了する。
【００８８】
ステップＳ５１２においてデビット制御部７０２から決済終了通知を受信した発行制御部４０２は、当該デビット決済が正常に終了しているか否かを判断し（ステップＳ５１３）、正常であれば手順をステップＳ５０７に進める。すなわち、ステップＳ５１０で選択された選択スイッチ４７の金額に対応する度数情報、および入金種別がデビット決済によるものである旨の情報、利用客が負担した手数料の金額、さらに固有の識別符号と共にターミナルコントローラ１０に送信し、その後、一般カード処理部４０３から利用客に対して一般カードＢＣを発行する。カード発行機４０から度数情報、デビット決済、手数料の金額および識別符号を受信したターミナルコントローラ１０では、これらの情報を度数管理テーブルＤＴに登録する処理が実施される。上述したように、一般カードＢＣには、発行店の識別情報、カード固有の識別コード、発行金額、カード種別等が磁気記録および印字してある。従って、この一般カードＢＣをカード処理ユニット３０に挿入すれば、そこで読み取られた記録情報を基にターミナルコントローラ１０から対応する残度数を取得することができ、この残度数を上限としたパチンコ玉の貸し出しが可能になる。
【００８９】
これに対してデビット決済が正常に終了していない場合には、ステップＳ５１３において手順をリターンさせ、ターミナルコントローラ１０に選択情報を送信することなく今回の処理を終了する。
【００９０】
最後に、本実施の形態のパチンコ遊技システムに適用するカード精算機５０について説明する。図１８は、カード精算機５０の外観を示した正面図、図１９は、このカード精算機５０の内部構成を示すブロック図である。
【００９１】
カード精算機５０は、筐体５１の前面に設けた扉体５２に会員カード挿入／返却口５３、一般カード挿入／返却口５４、紙幣払出口５５、硬貨払出口５６、確認スイッチ５７、取消スイッチ５８および表示部５９を備えている。
【００９２】
会員カード挿入／返却口５３は、会員カードＭＣを受け入れてこれを会員カード処理部５０１に取り込む一方、会員カード処理部５０１において所望の処理を施した後の会員カードＭＣを返却するため開口である。会員カード処理部５０１は、取り込んだ会員カードＭＣに磁気記録されている会員識別情報を読み取り、その読み取り結果を後述の精算制御部５０２に与える部分である。この会員カード処理部５０１は、会員カードＭＣに対して所望の処理を施した後、後述する精算制御部５０２からの制御信号に基づいて当該会員カードＭＣを返送するように構成してある。一般カード挿入／返却口５４は、一般カードＢＣを受け入れてこれを一般カード処理部５０３に取り込む一方、一般カード処理部５０３において処理を中断した後の一般カードＢＣを返却するための開口である。一般カード処理部５０３は、取り込んだ一般カードＢＣに磁気記録されている情報を読み取り、その読み取り結果を後述の精算制御部５０２に与える部分である。この一般カード処理部５０３は、一般カードＢＣに対して所望の処理を施した後、後述する精算制御部５０２からの制御信号に基づいて当該一般カード回収箱５０４に回収する一方、一般カードＢＣに対して処理を中断した場合には精算制御部５０２からの制御信号に基づいて当該一般カードＢＣを返送するように構成してある。紙幣払出口５５は、紙幣処理部５０５によって払い出された紙幣を外部に排出するための開口である。紙幣処理部５０５は、紙幣を収納した収納部５０６を有するもので、後述する精算制御部５０２からの制御信号に応じた金額の紙幣を収納部５０６から払い出すための部分である。硬貨払出口５６は、硬貨処理部５０７によって払い出された硬貨を外部に排出するための開口である。硬貨処理部５０７は、硬貨を貯留したホッパ５０８を有するもので、精算制御部５０２からの制御信号に応じた金額の硬貨をホッパ５０８から払い出すための部分である。確認スイッチ５７および取消スイッチ５８は、それぞれ外部操作入力部として設けたもので、利用客によってＯＮ操作された場合に個別の検出信号を後述の精算制御部５０２に与える部分である。表示部５９は、後述の精算制御部５０２から与えられた入力ガイダンス等の情報を表示するための部分であり、例えば液晶表示器によって構成してある。精算制御部５０２は、予め与えられたプログラムや会員カード処理部５０１、一般カード処理部５０３、確認スイッチ５７および取消スイッチ５８から与えられた情報に基づいて各部の制御を行うための部分である。この精算制御部５０２は、通信インターフェース部５０９を通じて外部と適宜情報交換することが可能である。本実施の形態では、通信インターフェース部５０９が、島コントローラ６０を介してターミナルコントローラ１０に接続してある。
【００９３】
図２０は、カード精算機５０の精算制御部５０２で実施される処理の内容を示すフローチャートである。以下、これらのフローチャートに従って、本実施の形態のカード精算機５０について説明する。
【００９４】
まず、カード精算機５０の精算制御部５０２は、会員カード処理部５０１もしくは一般カード処理部５０３からの検出信号に基づき、これらにプリペイドカードＭＣ，ＢＣが挿入されたか否かを判断する（ステップＳ６０１）。プリペイドカードＭＣ，ＢＣが挿入されていない場合には、以降の処理を経ることなく手順を終了する。これに対してプリペイドカードＭＣ，ＢＣが挿入されている場合には、当該プリペイドカードＭＣ，ＢＣが読み取り可能であるか否かを判断し（ステップＳ６０２）、読み取り不能であればこれを返却して手順を終了する（ステップＳ６０３）。この場合、表示部５９を通じてプリペイドカードＭＣ，ＢＣが読み取り不能である旨の表示を行うことが好ましい。
【００９５】
プリペイドカードＭＣ，ＢＣが読み取り可能であれば、これに記録されている情報を読み取り、該情報に基づいてターミナルコントローラ１０に問い合わせを行い（ステップＳ６０４）、その後、問い合わせの回答受信待機状態となる（ステップＳ６０５）。ターミナルコントローラ１０に問い合わせる内容は、挿入されたプリペイドカードＭＣ，ＢＣに関連づけられた残度数、使用度数および手数料負担有無等の情報である。
【００９６】
ターミナルコントローラ１０からプリペイドカードＭＣ，ＢＣに関する情報を取得した精算制御部５０２は、次いで、プリペイドカードＭＣ，ＢＣの残度数に基づいて精算可能金額、手数料負担有無等の情報を表示部５９に表示し（ステップＳ６０６）、さらに精算を行う場合には確認スイッチ５７のＯＮ操作が必要である旨、取り消す場合には取消スイッチ５８のＯＮ操作が必要である旨の表示を行し（ステップＳ６０７）、いずれかのスイッチ５７，５８の入力待ちとなる（ステップＳ６０８，ステップＳ６０９）。取消スイッチ５８がＯＮ操作された場合には、プリペイドカードＭＣ，ＢＣを返却して手順を終了する（ステップＳ６１０）。
【００９７】
一方、ステップＳ６０８において確認スイッチ５７がＯＮ操作された場合には、ターミナルコントローラ１０から取得した情報に基づいて当該プリペイドカードＭＣ，ＢＣがデビット決済に伴う手数料を利用客が負担したものであるか否かを判断する（ステップＳ６１１）。この場合の手数料負担は、センタ手数料および遊技店手数料の両方を負担した場合に該当するように設定してもよいし、いずれか一方のみであっても該当するように設定しても構わない。
【００９８】
ステップＳ６１１において手数料を利用客が負担していない場合には、残度数に応じた金額の貨幣を払い出す（ステップＳ６１２）。これに対して手数料を利用客が負担している場合には、さらにその使用度数が所定の閾値を越えているか否かを判断する（ステップＳ６１３）。このときの使用度数は、デビット決済によるもののみをカウントしてもよいし、デビット決済によるものと現金決済によるものとの合計をカウントしてもよい。
【００９９】
ステップＳ６１３において使用度数が所定の閾値未満であった場合には、手順をステップＳ６１２に進め、残度数に応じた金額の貨幣を払い出す。これに対して使用度数が所定の閾値以上であった場合には、残度数に応じた金額に負担した手数料を加算した金額の貨幣の払い出しを行う（ステップＳ６１４）。
【０１００】
例えば、上述した使用度数をデビット決済にのみ限定し、かつ上述した閾値を「３０度数（＝３０００円）」に設定してあるとすると、図３（ａ）に示す会員コードＡ０００００１の会員の場合には、現金決済の使用度数が閾値を越えているものの、デビット決済による使用度数が３０未満であるため、残度数１０＋３０＝４０分の貨幣４０００円が払い出されることになる。
【０１０１】
一方、会員コードＡ０００００２の会員の場合には、使用度数の合計が会員コードＡ０００００１の会員より少ないものの、デビット決済による使用度数が３０であるため、残度数４５＋０＝４５分の貨幣４５００円に負担した手数料１００円を加算した合計４６００円が払い出されることになる。
【０１０２】
同様に、図３（ｂ）に示す識別コードＢ００００２の利用客と識別コードＢ００００３の利用客とでは、使用度数の合計が４０、残度数が０、手数料負担が１００円と全く同一であるが、前者のデビット決済による使用度数のみが３０を越えている。従って、識別コードＢ００００３の利用客が一般カードＢＣをカード精算機５０に挿入しても払い出される貨幣はないことになるが、識別コードＢ００００２の利用客の場合には、手数料負担分の１００円が払い出されることになる。なお、識別コードＢ００００１の利用客の場合には、デビット決済による使用度数が３０を越えてはいるものの手数料を負担したものではない。従って、残度数５分の５００円が払い出される。
【０１０３】
ステップＳ６１２もしくはステップＳ６１４において貨幣の払い出しを行った精算制御部５０２は、ターミナルコントローラ１０に対してリセット要求を送信する（ステップＳ６１５）。このリセット要求とは、会員カードＭＣの場合、関連づけられた残度数を「０」にするものであり、一方、一般カードＢＣの場合、すべての情報を０クリアするものである。
【０１０４】
その後、精算制御部５０２は、精算したプリペイドカードＭＣ，ＢＣが一般カードＢＣであるか否かを判断し（ステップＳ６１６）、一般カードＢＣの場合、これを一般カード回収箱５０４に回収して手順を終了する（ステップＳ６１７）。一方、精算したプリペイドカードＭＣ，ＢＣが会員カードＭＣであった場合には、会員カード挿入／返却口５３を通じてこれを利用客に返却し（ステップＳ６１８）、その後、手順を終了する。
【０１０５】
このように本実施の形態のパチンコ遊技システムによれば、カード発行機４０でのデビット決済の際に一旦手数料を負担した場合にも、その後の使用度数に応じてこれを利用客に返却するようにしているため、遊技店の売上を著しく損なうことなく、利用客の遊技意欲を高く維持することが可能になる。この結果、デビットカードＤＣの使用に対応した遊技システムを構築した場合の遊技店のメリットが増えるようになり、その具現化を図ることが可能になる。
【０１０６】
なお、上述した実施の形態では、記録媒体処理装置であるカード発行機４０と、デビット決済の受け付けるデビット子機７０とを個別の筐体４１，７１に別々のユニットとして設けているが、これらを共通の筐体に一つのユニットとして構成するようにしてもよい。この場合には、表示部、通信インターフェース部、内外操作入力部といった部分の共通化を図り、製造コストを著しく低減することも可能になる。この結果、遊技店への導入も一層容易となる。また、入金を受け付けた場合に入金額に応じた所定の有価価値の記録媒体への関連づけを行う記録媒体処理装置として、カード発行機４０を例示しているが、上述した実施の形態の場合には、カード処理ユニット３０への適用も可能である。さらに、記録媒体として会員カードＭＣおよび一般カードＢＣといったプリペイドカードを例示しているが、その他の磁気カードやＩＣカード、ＩＣコイン等であっても構わない。なお、適用対象もパチンコ遊技システムに限らず、パチスロ機等にも適用可能である。また、上述した実施の形態では、利用客の手数料負担を減額する場合、並びに利用客に払い出す貨幣を増額する場合に、いずれも手数料の全額を対象としているが、必ずしもこれらの減額分および／または増額分が手数料の全額である必要はない。
【０１０７】
【発明の効果】
以上説明したように、請求項１に係る発明によれば、デビット決済による入金を受け付けた場合に利用客に負担させる手数料の金額あるいは手数料を算出するための掛け率を設定変更可能であるとともに、所定の閾値を設定変更可能であるため、デビットカードの取り扱いが増えた場合にも、遊技店の負担を低減することが可能となる。この結果、デビットカードの使用に対応した遊技システムを構築した場合の遊技店のメリットが増えるようになり、その具現化を図ることが可能になる。しかも、デビット決済による入金額が閾値未満の場合に手数料を利用客の全額負担とする一方、デビット決済による入金額が閾値以上となった場合に利用客の手数料負担を減額する手数料取り扱い設定手段を備えるようにしているため、手数料負担を嫌う利用客に対しては、デビット決済による入金額を増やすことでこれを回避する余地を与えることができ、遊技意欲を著しく損なう虞れがなくなるとともに、遊技店の売上向上を期待することが可能となる。
【０１０８】
また、請求項２に係る発明によれば、一旦デビット決済の際に手数料を負担した場合であっても、使用した有価価値が多い場合に精算の際の増額という形でこれを還元するようにしているため、遊技店の売上を著しく損なうことなく、利用客の遊技意欲を高く維持することが可能になる。この結果、デビットカードの使用に対応した遊技システムを構築した場合の遊技店のメリットが増えるようになり、その具現化を図ることが可能になる。
【図面の簡単な説明】
【図１】本発明の実施の形態である記録媒体処理装置を適用したパチンコ遊技システムの概略構成を示すブロック図である。
【図２】ターミナルコントローラの内部構成を示すブロック図である。
【図３】ターミナルコントローラに格納された度数管理テーブルを例示するもので、（ａ）は会員用の度数管理テーブルを示す図表、（ｂ）は一般利用客用の度数管理テーブルを示す図表である。
【図４】本実施の形態で適用するパチンコ機およびカード処理ユニットの外観を示した正面図である。
【図５】カード処理ユニットの内部構成を示すブロック図である。
【図６】本実施の形態で適用するカード発行機およびデビット子機の外観を示した正面図である。
【図７】カード発行機およびデビット子機の内部構成を示すブロック図である。
【図８】デビット子機のデビット制御部で実施される処理の内容を示すフローチャートである。
【図９】カード発行機の発行制御部で実施される処理の内容を示すフローチャートである。
【図１０】デビット子機において実施される係員モード処理の詳細を示すフローチャートである。
【図１１】デビット子機において実施される設定入力要求の表示例を示した図である。
【図１２】（ａ）〜（ｃ）は手数料設定による表示例を順に示した図である。
【図１３】（ａ）〜（ｄ）は手数料負担設定による表示例を示した図である。
【図１４】（ａ）〜（ｃ）は条件設定による表示例を示した図である。
【図１５】（ａ）は、カード発行機で実施されるカード加算処理の詳細を示すフローチャート、（ｂ）は、デビット子機で実施されるデビットカード取扱処理の詳細を示すフローチャートである。
【図１６】（ａ）および（ｂ）は、デビット子機から発行されるレシートの例を示した概念図である。
【図１７】カード発行機で実施されるカード発行処理の詳細を示すフローチャートである。
【図１８】カード精算機の外観を示した正面図である。
【図１９】カード精算機の内部構成を示すブロック図である。
【図２０】カード精算機の精算制御部で実施される処理の内容を示すフローチャートである。
【符号の説明】
１０  ターミナルコントローラ
１１  ＲＡＭ
１２  通信インターフェース部
２０  パチンコ機
２１  遊技領域
２２  上皿
２３  度数表示部
２４  貸出スイッチ
２５  返却スイッチ
２６  玉投出手段
３０  カード処理ユニット
３１ａ  カードランプ
３１ｂ  現金ランプ
３２  紙幣投入口
３３  硬貨投入口
３４  返却レバー
３５  種別ランプ
３６  金額表示部
３７ａ  金額設定スイッチ
３７ｂ  端数設定スイッチ
３８  硬貨返却口
３９  カード挿入口
４０  カード発行機
４１  筐体
４２  扉体
４２ａ  ハンディ収容凹部
４２ｂ  補助扉体
４２ｃ  補助錠手段
４３  主錠手段
４４  会員カード挿入／返却口
４５  一般カード発行口
４６  紙幣挿入／返却口
４７  選択スイッチ
４８  取消スイッチ
４９  表示部
５０  カード精算機
５１  筐体
５２  扉体
５３  会員カード挿入／返却口
５４  一般カード挿入／返却口
５５  紙幣払出口
５６  硬貨払出口
５７  確認スイッチ
５８  取消スイッチ
５９  表示部
６０  島コントローラ
７０  デビット子機
７１  筐体
７２  扉体
７３  主錠手段
７４  デビットカード挿入／返却口
７５  レシート排出口
７６  表示部
７７  外部操作入力部
７８  係員モードスイッチ（内部操作入力部）
３００  貸出制御部
３０１  ＢＶユニット部
３０２  紙幣搬送路
３０３  コインセレクタ部
３０４  硬貨搬送路
３０５  プリペイドカード処理部
３０６  メモリ
４０１  会員カード処理部
４０２  発行制御部
４０３  一般カード処理部
４０４  紙幣処理部
４０５  紙幣回収箱
４０６  施錠検出センサ
４０７  ハンディ端末入力機
４０８  第１通信インターフェース部
４０９  第２通信インターフェース部
５０１  会員カード処理部
５０２  精算制御部
５０３  一般カード処理部
５０４  一般カード回収箱
５０５  紙幣処理部
５０６  収納部
５０７  硬貨処理部
５０８  ホッパ
５０９  通信インターフェース部
７０１  デビットカード処理部
７０２  デビット制御部
７０３  印字部
７０４  第１通信インターフェース部
７０５  第２通信インターフェース部
１０００  公衆回線網
１００１  情報処理センタ
１０１０  ＣＡＦＩＳネットワーク
１０１１  クリアリングセンタ
１０２０  デビットカード発行銀行
１０３０  決済銀行
１０４０  加盟店銀行
１０５０  ○○銀行
１０６０  カード会社センタ
１０７０  △△銀行
ＢＣ  一般カード
ＤＣ  デビットカード
ＤＴ  度数管理テーブル
ＭＣ  会員カード
ＲＣ  レシート
【図１】
0003819737.tif 000002
【図２】
0003819737.tif 000003
【図３】
0003819737.tif 000004
【図４】
0003819737.tif 000005
【図５】
0003819737.tif 000006
【図６】
0003819737.tif 000007
【図７】
0003819737.tif 000008
【図８】
0003819737.tif 000009
【図９】
0003819737.tif 000010
【図１０】
0003819737.tif 000011
【図１１】
0003819737.tif 000012
【図１２】
0003819737.tif 000013
【図１３】
0003819737.tif 000014
【図１４】
0003819737.tif 000015
【図１５】
0003819737.tif 000016
【図１６】
0003819737.tif 000017
【図１７】
0003819737.tif 000018
【図１８】
0003819737.tif 000019
【図１９】
0003819737.tif 000020
【図２０】
0003819737.tif 000021